(57)【要約】【課題】  テレビチューナ部を有することに起因する携帯電話信号への悪影響を低減することが可能なテレビ信号受信機能付き携帯電話機を提供する。【解決手段】  テレビチューナシンセサイザ周波数設定変更判定部５１ｃは、受信回線品質判定部５１ａが行った受信回線品質判定の結果と、受信レベル判定部５１ｂが行った受信レベル判定の結果に基づき、携帯電話信号がテレビチューナ部１２から所定レベル以上の干渉を受けているか否かを判定し、該携帯電話信号がテレビチューナ部１２から所定レベル以上の干渉を受けていると判定した場合、テレビチューニング部１２がチューニングしているチャンネルを維持する範囲で、テレビチューナシンセサイザ部１２ｂが出力する第１のチューニング用信号の周波数およびテレビチューナシンセサイザ部１２ｃが出力する第２のチューニング用信号の周波数とを変更する。【選択図】      図１
2005045537.tif 000002
【特許請求の範囲】
【請求項１】
ユーザにより選局された所望のチャンネルをチューニングするために生成されたチューニング用信号を用いて、テレビ信号の所望のチャンネルをチューニングするテレビチューナ部と、
携帯電話信号を受信する携帯電話信号受信部と、
前記携帯電話信号受信部が受信した携帯電話信号に基づき、該携帯電話信号が前記テレビチューナ部から所定レベル以上の干渉を受けているか否かを判定し、該携帯電話信号が前記テレビチューナ部から前記所定レベル以上の干渉を受けていると判定した場合に、前記テレビチューナ部のチューニング用信号の周波数を変更する周波数変更部とを含み、
前記テレビチューナ部は、前記周波数変更部により周波数が変更されたチューニング用信号を用いて、前記所望のチャンネルをチューニングすることを特徴とするテレビ信号受信機能付き携帯電話機。
【請求項２】
請求項１に記載のテレビ信号受信機能付き携帯電話機において、
格納部をさらに含み、
前記周波数変更部は、
前記チューニング用信号の周波数の変更により、前記テレビチューナ部の前記携帯電話信号への干渉が、前記所定レベルより低くなった場合、該変更後のチューニング用信号の周波数と、前記テレビ信号の所望のチャンネルと、前記携帯電話信号の周波数を示す携帯電話信号チャンネルとを関連づけて、前記格納部に格納し、
前記携帯電話信号受信部が前記携帯電話信号を受信した際に、前記テレビチューナ部がチューニングしているテレビ信号のチャンネルと前記携帯電話信号受信部が受信した携帯電話信号の周波数を示す携帯電話信号チャンネルとに関連づけられているチューニング用信号の周波数が前記格納部に格納されている場合に、前記テレビチューナ部のチューニング用信号の周波数を、前記テレビチューナ部がチューニングしているテレビ信号のチャンネルと前記携帯電話信号受信部が受信した携帯電話信号の周波数を示す携帯電話信号チャンネルとに関連づけられて前記格納部に格納されているチューニング用信号の周波数に変更することを特徴とするテレビ信号受信機能付き携帯電話機。
【請求項３】
請求項１または２に記載のテレビ信号受信機能付き携帯電話機において、
前記テレビチューナ部は、テレビ信号を受信するテレビ信号受信部と、第１のチューニング用信号を出力する第１のチューニング用信号出力部と、前記テレビ信号受信部が受信したテレビ信号と、前記第１のチューニング用信号出力部が出力する第１のチューニング用信号とをミキシングして第１の中間周波数信号を生成し、生成した第１の中間周波数信号を出力する第１のミキサーと、前記第１のミキサーの出力信号から前記第１の中間周波数信号を含む所望の周波数の信号を抽出する第１のフィルタと、第２のチューニング用信号を出力する第２のチューニング用信号出力部と、前記第１のフィルタが抽出した所望の周波数の信号と、前記第２のチューニング用信号出力部が出力する第２のチューニング用信号とをミキシングして第２の中間周波数信号を生成し、生成した第２の中間周波数信号を出力する第２のミキサーと、前記第２のミキサーの出力信号から前記第２の中間周波数信号を抽出する第２のフィルタとを含み、
前記周波数変更部は、前記携帯電話信号受信部が受信した携帯電話信号が前記テレビチューナ部から所定のレベル以上の干渉を受けている場合、前記第１のチューニング用信号出力部が出力する第１のチューニング用信号の周波数と前記第２のチューニング用信号出力部が出力する第２のチューニング用信号の周波数とを変更することを特徴とするテレビ信号受信機能付き携帯電話機。
【請求項４】
請求項１ないし３のいずれかに記載のテレビ信号受信機能付き携帯電話機において、
前記周波数変更部は、前記携帯電話信号受信部が受信した携帯電話信号の回線品質が所定レベルよりも低く、かつ、前記携帯電話信号受信部が受信した携帯電話信号の受信レベルが所定受信レベルよりも高い場合に、前記携帯電話信号が前記テレビチューナ部から所定レベル以上の干渉を受けていると判定することを特徴とするテレビ信号受信機能付き携帯電話機。
【請求項５】
テレビ信号の所望のチャンネルをチューニングするテレビチューナ部と、
携帯電話信号を受信する複数のアンテナと、
前記複数のアンテナから１つのアンテナを選択するアンテナ選択部と、
前記アンテナ選択部が選択したアンテナを介して受信した携帯電話信号に基づき、該携帯電話信号が前記テレビチューナ部から所定レベル以上の干渉を受けているか否かを判定し、該携帯電話信号が前記テレビチューナ部から所定レベル以上の干渉を受けていると判定した場合に、前記アンテナ選択部が選択しているアンテナを、該アンテナと異なるアンテナに切り替えるアンテナ切り替え部とを含むことを特徴とするテレビ信号受信機能付き携帯電話機。
【請求項６】
請求項５に記載のテレビ信号受信機能付き携帯電話機において、
格納部をさらに含み、
前記アンテナ切り替え部は、
前記アンテナ選択部が選択するアンテナの切り替えにより、前記テレビチューナ部の前記携帯電話信号への干渉が、前記所定レベルより低くなった場合、該切り替え後のアンテナを示すアンテナ情報と、前記テレビ信号の所望のチャンネルと、前記携帯電話信号の周波数を示す携帯電話信号チャンネルとを関連づけて、前記格納部に格納し、
前記携帯電話信号受信部が前記携帯電話信号を受信した際に、前記テレビチューナ部がチューニングしているテレビ信号のチャンネルと前記携帯電話信号受信部が受信した携帯電話信号の周波数を示す携帯電話信号チャンネルとに関連づけられているアンテナ情報が前記格納部に格納されている場合に、前記アンテナ選択部が選択するアンテナを、前記テレビチューナ部がチューニングしているテレビ信号のチャンネルと前記携帯電話信号受信部が受信した携帯電話信号の周波数を示す携帯電話信号チャンネルとに関連づけられて前記格納部に格納されているアンテナ情報が示すアンテナに切り替えることを特徴とするテレビ信号受信機能付き携帯電話機。
【請求項７】
請求項５または６に記載のテレビ信号受信機能付き携帯電話機において、
前記アンテナ切り替え部は、前記携帯電話信号受信部が受信した携帯電話信号の回線品質が所定レベルよりも低く、かつ、前記携帯電話信号受信部が受信した携帯電話信号の受信レベルが所定受信レベルよりも高い場合に、前記携帯電話信号が前記テレビチューナ部から所定レベル以上の干渉を受けていると判定することを特徴とするテレビ信号受信機能付き携帯電話機。
【請求項８】
ユーザにより選局された所望のチャンネルをチューニングするために生成されたチューニング用信号を用いて、テレビ信号の所望のチャンネルをチューニングするテレビチューナ部と、携帯電話信号を受信する携帯電話信号受信部とを含むテレビ信号受信機能付き携帯電話機が行う干渉防止方法であって、
前記携帯電話信号受信部が受信した携帯電話信号に基づき、該携帯電話信号が前記テレビチューナ部から所定レベル以上の干渉を受けているか否かを判定する干渉判定ステップと、
前記干渉判定ステップで、該携帯電話信号が前記テレビチューナ部から前記所定レベル以上の干渉を受けていると判定した場合に、前記チューニング用信号の周波数を変更する第１の周波数変更ステップと、
前記第１の周波数変更ステップで周波数が変更されたチューニング用信号を用いて、前記テレビ信号の所望のチャンネルをチューニングするチューニングステップと
を含むことを特徴とするテレビ信号受信機能付き携帯電話機の干渉防止方法。
【請求項９】
請求項８に記載のテレビ信号受信機能付き携帯電話機の干渉防止方法において、
前記第１の周波数変更ステップでの前記チューニング用信号の周波数の変更により、前記テレビチューナ部の前記携帯電話信号への干渉が、前記所定レベルより低くなった場合、該変更後のチューニング用信号の周波数と、前記テレビ信号の所望のチャンネルと、前記携帯電話信号の周波数を示す携帯電話信号チャンネルとを関連づけて格納部に格納する格納ステップと、
前記携帯電話信号受信部が前記携帯電話信号を受信した際に、前記テレビチューナ部がチューニングしているテレビ信号のチャンネルと前記携帯電話信号受信部が受信した携帯電話信号の周波数を示す携帯電話信号チャンネルとに関連づけられているチューニング用信号の周波数が前記格納部に格納されている場合に、前記テレビチューナ部のチューニング用信号の周波数を、前記テレビチューナ部がチューニングしているテレビ信号のチャンネルと前記携帯電話信号受信部が受信した携帯電話信号の周波数を示す携帯電話信号チャンネルとに関連づけられて前記格納部に格納されているチューニング用信号の周波数に変更する第２の周波数変更ステップと
を含むことを特徴とするテレビ信号受信機能付き携帯電話機の干渉防止方法。
【請求項１０】
請求項８または９に記載のテレビ信号受信機能付き携帯電話機の干渉防止方法において、
前記テレビチューナ部は、テレビ信号を受信するテレビ信号受信部と、第１のチューニング用信号を出力する第１のチューニング用信号出力部と、前記テレビ信号受信部が受信したテレビ信号と、前記第１のチューニング用信号出力部が出力する第１のチューニング用信号とをミキシングして第１の中間周波数信号を生成し、生成した第１の中間周波数信号を出力する第１のミキサーと、前記第１のミキサーの出力信号から前記第１の中間周波数信号を含む所望の周波数の信号を抽出する第１のフィルタと、第２のチューニング用信号を出力する第２のチューニング用信号出力部と、前記第１のフィルタが抽出した所望の周波数の信号と、前記第２のチューニング用信号出力部が出力する第２のチューニング用信号とをミキシングして第２の中間周波数信号を生成し、生成した第２の中間周波数信号を出力する第２のミキサーと、前記第２のミキサーの出力信号から前記第２の中間周波数信号を抽出する第２のフィルタとを含み、
前記第１の周波数変更ステップは、前記携帯電話信号受信部が受信した携帯電話信号が前記テレビチューナ部から所定のレベル以上の干渉を受けている場合、前記第１のチューニング用信号出力部が出力する第１のチューニング用信号の周波数と前記第２のチューニング用信号出力部が出力する第２のチューニング用信号の周波数とを変更することを特徴とするテレビ信号受信機能付き携帯電話機の干渉防止方法。
【請求項１１】
請求項８ないし１０のいずれかに記載のテレビ信号受信機能付き携帯電話機の干渉防止方法において、
前記干渉判定ステップは、前記携帯電話信号受信部が受信した携帯電話信号の回線品質が所定レベルよりも低く、かつ、前記携帯電話信号受信部が受信した携帯電話信号の受信レベルが所定受信レベルよりも高い場合に、前記携帯電話信号が前記テレビチューナ部から所定レベル以上の干渉を受けていると判定することを特徴とするテレビ信号受信機能付き携帯電話機の干渉防止方法。
【請求項１２】
テレビ信号の所望のチャンネルをチューニングするテレビチューナ部と、携帯電話信号を受信する複数のアンテナとを含むテレビ信号受信機能付き携帯電話機が行う干渉防止方法であって、
前記複数のアンテナから１つのアンテナを選択するアンテナ選択ステップと、
前記アンテナ選択ステップで選択したアンテナを介して受信した携帯電話信号に基づき、該携帯電話信号が前記テレビチューナ部から所定レベル以上の干渉を受けているか否かを判定する干渉判定ステップと、
前記干渉判定ステップで、該携帯電話信号が前記テレビチューナ部から所定レベル以上の干渉を受けていると判定した場合に、前記アンテナ選択部ステップで選択したアンテナを、該アンテナと異なるアンテナに切り替える第１のアンテナ切り替えステップと
を含むことを特徴とするテレビ信号受信機能付き携帯電話機の干渉防止方法。
【請求項１３】
請求項１２に記載のテレビ信号受信機能付き携帯電話機の干渉防止方法において、
前記アンテナ切り替えステップによるアンテナの切り替えにより、前記テレビチューナ部の前記携帯電話信号への干渉が、前記所定レベルより低くなった場合、該切り替え後のアンテナを示すアンテナ情報と、前記テレビ信号の所望のチャンネルと、前記携帯電話信号の周波数を示す携帯電話信号チャンネルとを関連づけて格納部に格納する格納ステップと、
前記携帯電話信号受信部が前記携帯電話信号を受信した際に、前記テレビチューナ部がチューニングしているテレビ信号のチャンネルと前記携帯電話信号受信部が受信した携帯電話信号の周波数を示す携帯電話信号チャンネルとに関連づけられているアンテナ情報が前記格納部に格納されている場合に、前記アンテナ選択ステップで選択したアンテナを、前記テレビチューナ部がチューニングしているテレビ信号のチャンネルと前記携帯電話信号受信部が受信した携帯電話信号の周波数を示す携帯電話信号チャンネルとに関連づけられて前記格納部に格納されているアンテナ情報が示すアンテナに切り替える第２のアンテナ切り替えステップとを含むことを特徴とするテレビ信号受信機能付き携帯電話機の干渉防止方法。
【請求項１４】
請求項１２または１３に記載のテレビ信号受信機能付き携帯電話機の干渉防止方法において、
前記干渉判定ステップは、前記携帯電話信号受信部が受信した携帯電話信号の回線品質が所定レベルよりも低く、かつ、前記携帯電話信号受信部が受信した携帯電話信号の受信レベルが所定受信レベルよりも高い場合に、前記携帯電話信号が前記テレビチューナ部から所定レベル以上の干渉を受けていると判定することを特徴とするテレビ信号受信機能付き携帯電話機の干渉防止方法。
【発明の詳細な説明】
【技術分野】
【０００１】
本発明は、テレビ信号受信機能付き携帯電話機およびテレビ信号受信機能付き携帯電話機の干渉防止方法に関する。
【背景技術】
【０００２】
現在、各携帯電話機メーカは、電話機能だけでなく、電話機能と異なる機能を有する携帯電話機を市場に投入し、販売競争に勝とうとしている。
【０００３】
電話機能と異なる機能を有する携帯電話機としては、例えば、デジタルカメラを搭載した携帯電話機、様々なデータを保存することが可能なカード型記録媒体を使用することができる携帯電話機、ＦＭラジオ受信機能付き携帯電話機、テレビ電話機能付き携帯電話機（特許文献１（特開２００１−３３３１６３号公報）および特許文献２（特開平６−３３４９９８号公報）参照）およびテレビ信号受信機能付き携帯電話機がある。
【０００４】
特に、テレビ信号受信機能付き携帯電話機は、テレビ放送局が送信するテレビ信号を携帯電話機で受信できるので、携帯電話機を小型のテレビ受像装置として使用することが可能となる。
【０００５】
しかしながら、携帯電話機とテレビ受像機とは、共に電波を受信し、受信した電波を処理するので、受信電波間で悪影響を及ぼしあう可能性が高い。
【０００６】
特許文献３（特開２００３−１６８９９２号公報）には、携帯電話用の信号（以下「携帯電話信号」と称する。）が、テレビ信号受信装置に悪影響を与えることを防止する技術が記載されている。
【０００７】
具体的には、テレビ信号受信装置において、アンテナとローパスフィルタとの間に、携帯電話で使用される周波数を阻止するためのトラップ回路を挿入する技術が記載されている。
【特許文献１】特開２００１−３３３１６３号公報
【特許文献２】特開平６−３３４９９８号公報
【特許文献３】特開２００３−１６８９９２号公報
【発明の開示】
【発明が解決しようとする課題】
【０００８】
特許文献３には、携帯電話機の信号の影響を受けないテレビ信号受信装置が記載されているが、携帯電話機においてテレビ信号の影響を低減する手法に関する記載はない。
【０００９】
本発明の目的は、テレビチューナ部を有することに起因する携帯電話信号への悪影響を低減することが可能なテレビ信号受信機能付き携帯電話機およびテレビ信号受信機能付き携帯電話機の干渉防止方法を提供することである。
【課題を解決するための手段】
【００１０】
上記目的を達成するために、本発明のテレビ信号受信機能付き携帯電話機は、ユーザにより選局された所望のチャンネルをチューニングするために生成されたチューニング用信号を用いて、テレビ信号の所望のチャンネルをチューニングするテレビチューナ部と、携帯電話信号を受信する携帯電話信号受信部と、前記携帯電話信号受信部が受信した携帯電話信号に基づき、該携帯電話信号が前記テレビチューナ部から所定レベル以上の干渉を受けているか否かを判定し、該携帯電話信号が前記テレビチューナ部から前記所定レベル以上の干渉を受けていると判定した場合に、前記テレビチューナ部のチューニング用信号の周波数を変更する周波数変更部とを含み、前記テレビチューナ部は、前記周波数変更部により周波数が変更されたチューニング用信号を用いて、前記テレビ信号の所望のチャンネルをチューニングすることを特徴とする。
【００１１】
上記の発明によれば、携帯電話信号がテレビチューナ部から所定レベル以上の干渉を受けている場合、テレビチューナ部のチューニング用信号の周波数を変更するので、チューニング用信号に基づいて発生する信号が、携帯電話信号に悪影響を与えることを防止することが可能となる。
【００１２】
また、本発明のテレビ信号受信機能付き携帯電話機は、格納部をさらに含み、前記周波数変更部は、前記チューニング用信号の周波数の変更により、前記テレビチューナ部の前記携帯電話信号への干渉が、前記所定レベルより低くなった場合、該変更後のチューニング用信号の周波数と、前記テレビ信号の所望のチャンネルと、前記携帯電話信号の周波数を示す携帯電話信号チャンネルとを関連づけて、前記格納部に格納し、前記携帯電話信号受信部が前記携帯電話信号を受信した際に、前記テレビチューナ部がチューニングしているテレビ信号のチャンネルと前記携帯電話信号受信部が受信した携帯電話信号の周波数を示す携帯電話信号チャンネルとに関連づけられているチューニング用信号の周波数が前記格納部に格納されている場合に、前記テレビチューナ部のチューニング用信号の周波数を、前記テレビチューナ部がチューニングしているテレビ信号のチャンネルと前記携帯電話信号受信部が受信した携帯電話信号の周波数を示す携帯電話信号チャンネルとに関連づけられて前記格納部に格納されているチューニング用信号の周波数に変更することを特徴とする。
【００１３】
上記の発明によれば、格納部に、携帯電話信号に悪影響を与えないチューニング用信号の周波数が格納されるので、格納部に格納された周波数を再利用することにより、携帯電話信号に悪影響を与えないチューニング用信号の周波数を複数回求めることを防止することが可能となる。
【００１４】
また、本発明のテレビ信号受信機能付き携帯電話機は、前記テレビチューナ部が、テレビ信号を受信するテレビ信号受信部と、第１のチューニング用信号を出力する第１のチューニング用信号出力部と、前記テレビ信号受信部が受信したテレビ信号と、前記第１のチューニング用信号出力部が出力する第１のチューニング用信号とをミキシングして第１の中間周波数信号を生成し、生成した第１の中間周波数信号を出力する第１のミキサーと、前記第１のミキサーの出力信号から前記第１の中間周波数信号を含む所望の周波数の信号を抽出する第１のフィルタと、第２のチューニング用信号を出力する第２のチューニング用信号出力部と、前記第１のフィルタが抽出した所望の周波数の信号と、前記第２のチューニング用信号出力部が出力する第２のチューニング用信号とをミキシングして第２の中間周波数信号を生成し、生成した第２の中間周波数信号を出力する第２のミキサーと、前記第２のミキサーの出力信号から前記第２の中間周波数信号を抽出する第２のフィルタとを含み、前記周波数変更部は、前記携帯電話信号受信部が受信した携帯電話信号が前記テレビチューナ部から所定のレベル以上の干渉を受けている場合、前記第１のチューニング用信号出力部が出力する第１のチューニング用信号の周波数と前記第２のチューニング用信号出力部が出力する第２のチューニング用信号の周波数とを変更することを特徴とする。
【００１５】
上記の発明によれば、テレビチューナ部として、ダブルスーパヘテロダイン方式を用いても、上記と同様の効果を奏することが可能となる。
【００１６】
また、本発明のテレビ信号受信機能付き携帯電話機は、前記周波数変更部は、前記携帯電話信号受信部が受信した携帯電話信号の回線品質が所定レベルよりも低く、かつ、前記携帯電話信号受信部が受信した携帯電話信号の受信レベルが所定受信レベルよりも高い場合に、前記携帯電話信号が前記テレビチューナ部から所定レベル以上の干渉を受けていると判定することを特徴とする。
【００１７】
上記の発明によれば、携帯電話信号が前記テレビチューナ部から所定レベル以上の干渉を受けているか否かを容易に判定することが可能となる。
【００１８】
また、本発明のテレビ信号受信機能付き携帯電話機は、テレビ信号の所望のチャンネルをチューニングするテレビチューナ部と、携帯電話信号を受信する複数のアンテナと、前記複数のアンテナから１つのアンテナを選択するアンテナ選択部と、前記アンテナ選択部が選択したアンテナを介して受信した携帯電話信号に基づき、該携帯電話信号が前記テレビチューナ部から所定レベル以上の干渉を受けているか否かを判定し、該携帯電話信号が前記テレビチューナ部から所定レベル以上の干渉を受けていると判定した場合に、前記アンテナ選択部が選択しているアンテナを、該アンテナと異なるアンテナに切り替えるアンテナ切り替え部とを含むことを特徴とする。
【００１９】
上記の発明によれば、携帯電話信号がテレビチューナ部から干渉を受けている場合、アンテナ選択部が選択しているアンテナを、複数のアンテナの中で、該アンテナと異なるアンテナに切り替えるので、携帯電話信号を受信する複数のアンテナの中で、テレビチューナ部の影響が少ない、またはテレビチューナ部の影響を受けていないアンテナを、携帯電話信号を受信するためのアンテナとすることが可能となる。
【００２０】
また、本発明のテレビ信号受信機能付き携帯電話機は、格納部をさらに含み、前記アンテナ切り替え部は、前記アンテナ選択部が選択するアンテナの切り替えにより、前記テレビチューナ部の前記携帯電話信号への干渉が、前記所定レベルより低くなった場合、該切り替え後のアンテナを示すアンテナ情報と、前記テレビ信号の所望のチャンネルと、前記携帯電話信号の周波数を示す携帯電話信号チャンネルとを関連づけて、前記格納部に格納し、前記携帯電話信号受信部が前記携帯電話信号を受信した際に、前記テレビチューナ部がチューニングしているテレビ信号のチャンネルと前記携帯電話信号受信部が受信した携帯電話信号の周波数を示す携帯電話信号チャンネルとに関連づけられているアンテナ情報が前記格納部に格納されている場合に、前記アンテナ選択部が選択するアンテナを、前記テレビチューナ部がチューニングしているテレビ信号のチャンネルと前記携帯電話信号受信部が受信した携帯電話信号の周波数を示す携帯電話信号チャンネルとに関連づけられて前記格納部に格納されているアンテナ情報が示すアンテナに切り替えることを特徴とする。
【００２１】
上記の発明によれば、格納部に、携帯電話信号に悪影響を与えないアンテナを示すアンテナ情報が格納されるので、格納部に格納されたアンテナ情報を再利用することにより、携帯電話信号に悪影響を与えないアンテナを複数回検出することを防止することが可能となる。
【００２２】
また、本発明のテレビ信号受信機能付き携帯電話機は、前記アンテナ切り替え部が、前記携帯電話信号受信部が受信した携帯電話信号の回線品質が所定レベルよりも低く、かつ、前記携帯電話信号受信部が受信した携帯電話信号の受信レベルが所定受信レベルよりも高い場合に、前記携帯電話信号が前記テレビチューナ部から所定レベル以上の干渉を受けていると判定することを特徴とする。
【００２３】
また、本発明のテレビ信号受信機能付き携帯電話機の干渉防止方法は、ユーザにより選局された所望のチャンネルをチューニングするために生成されたチューニング用信号を用いて、テレビ信号の所望のチャンネルをチューニングするテレビチューナ部と、携帯電話信号を受信する携帯電話信号受信部とを含むテレビ信号受信機能付き携帯電話機が行う干渉防止方法であって、前記携帯電話信号受信部が受信した携帯電話信号に基づき、該携帯電話信号が前記テレビチューナ部から所定レベル以上の干渉を受けているか否かを判定する干渉判定ステップと、前記干渉判定ステップで、該携帯電話信号が前記テレビチューナ部から前記所定レベル以上の干渉を受けていると判定した場合に、前記チューニング用信号の周波数を変更する第１の周波数変更ステップと、前記第１の周波数変更ステップで周波数が変更されたチューニング用信号を用いて、前記テレビ信号の所望のチャンネルをチューニングするチューニングステップとを含むことを特徴とする。
【００２４】
上記の発明によれば、携帯電話信号がテレビチューナ部から所定レベル以上の干渉を受けている場合、テレビチューナ部のチューニング用信号の周波数を変更するので、チューニング用信号に基づいて発生する信号が、携帯電話信号に悪影響を与えることを防止することが可能となる。
【００２５】
また、本発明のテレビ信号受信機能付き携帯電話機の干渉防止方法は、前記第１の周波数変更ステップでの前記チューニング用信号の周波数の変更により、前記テレビチューナ部の前記携帯電話信号への干渉が、前記所定レベルより低くなった場合、該変更後のチューニング用信号の周波数と、前記テレビ信号の所望のチャンネルと、前記携帯電話信号の周波数を示す携帯電話信号チャンネルとを関連づけて格納部に格納する格納ステップと、前記携帯電話信号受信部が前記携帯電話信号を受信した際に、前記テレビチューナ部がチューニングしているテレビ信号のチャンネルと前記携帯電話信号受信部が受信した携帯電話信号の周波数を示す携帯電話信号チャンネルとに関連づけられているチューニング用信号の周波数が前記格納部に格納されている場合に、前記テレビチューナ部のチューニング用信号の周波数を、前記テレビチューナ部がチューニングしているテレビ信号のチャンネルと前記携帯電話信号受信部が受信した携帯電話信号の周波数を示す携帯電話信号チャンネルとに関連づけられて前記格納部に格納されているチューニング用信号の周波数に変更する第２の周波数変更ステップとを含むことを特徴とする。
【００２６】
上記の発明によれば、格納部に、携帯電話信号に悪影響を与えないチューニング用信号の周波数が格納されるので、格納部に格納された周波数を再利用することにより、携帯電話信号に悪影響を与えないチューニング用信号の周波数を複数回求めることを防止することが可能となる。
【００２７】
また、本発明のテレビ信号受信機能付き携帯電話機の干渉防止方法は、前記テレビチューナ部が、テレビ信号を受信するテレビ信号受信部と、第１のチューニング用信号を出力する第１のチューニング用信号出力部と、前記テレビ信号受信部が受信したテレビ信号と、前記第１のチューニング用信号出力部が出力する第１のチューニング用信号とをミキシングして第１の中間周波数信号を生成し、生成した第１の中間周波数信号を出力する第１のミキサーと、前記第１のミキサーの出力信号から前記第１の中間周波数信号を含む所望の周波数の信号を抽出する第１のフィルタと、第２のチューニング用信号を出力する第２のチューニング用信号出力部と、前記第１のフィルタが抽出した所望の周波数の信号と、前記第２のチューニング用信号出力部が出力する第２のチューニング用信号とをミキシングして第２の中間周波数信号を生成し、生成した第２の中間周波数信号を出力する第２のミキサーと、前記第２のミキサーの出力信号から前記第２の中間周波数信号を抽出する第２のフィルタとを含み、前記第１の周波数変更ステップは、前記携帯電話信号受信部が受信した携帯電話信号が前記テレビチューナ部から所定のレベル以上の干渉を受けている場合、前記第１のチューニング用信号出力部が出力する第１のチューニング用信号の周波数と前記第２のチューニング用信号出力部が出力する第２のチューニング用信号の周波数とを変更することを特徴とする。
【００２８】
また、本発明のテレビ信号受信機能付き携帯電話機の干渉防止方法は、前記干渉判定ステップは、前記携帯電話信号受信部が受信した携帯電話信号の回線品質が所定レベルよりも低く、かつ、前記携帯電話信号受信部が受信した携帯電話信号の受信レベルが所定受信レベルよりも高い場合に、前記携帯電話信号が前記テレビチューナ部から所定レベル以上の干渉を受けていると判定することを特徴とする。
【００２９】
また、本発明のテレビ信号受信機能付き携帯電話機の干渉防止方法は、テレビ信号の所望のチャンネルをチューニングするテレビチューナ部と、携帯電話信号を受信する複数のアンテナとを含むテレビ信号受信機能付き携帯電話機が行う干渉防止方法であって、前記複数のアンテナから１つのアンテナを選択するアンテナ選択ステップと、前記アンテナ選択ステップで選択したアンテナを介して受信した携帯電話信号に基づき、該携帯電話信号が前記テレビチューナ部から所定レベル以上の干渉を受けているか否かを判定する干渉判定ステップと、前記干渉判定ステップで、該携帯電話信号が前記テレビチューナ部から所定レベル以上の干渉を受けていると判定した場合に、前記アンテナ選択部ステップで選択したアンテナを、該アンテナと異なるアンテナに切り替える第１のアンテナ切り替えステップとを含むことを特徴とする。
【００３０】
また、本発明のテレビ信号受信機能付き携帯電話機の干渉防止方法は、前記アンテナ切り替えステップによるアンテナの切り替えにより、前記テレビチューナ部の前記携帯電話信号への干渉が、前記所定レベルより低くなった場合、該切り替え後のアンテナを示すアンテナ情報と、前記テレビ信号の所望のチャンネルと、前記携帯電話信号の周波数を示す携帯電話信号チャンネルとを関連づけて格納部に格納する格納ステップと、前記携帯電話信号受信部が前記携帯電話信号を受信した際に、前記テレビチューナ部がチューニングしているテレビ信号のチャンネルと前記携帯電話信号受信部が受信した携帯電話信号の周波数を示す携帯電話信号チャンネルとに関連づけられているアンテナ情報が前記格納部に格納されている場合に、前記アンテナ選択ステップで選択したアンテナを、前記テレビチューナ部がチューニングしているテレビ信号のチャンネルと前記携帯電話信号受信部が受信した携帯電話信号の周波数を示す携帯電話信号チャンネルとに関連づけられて前記格納部に格納されているアンテナ情報が示すアンテナに切り替える第２のアンテナ切り替えステップとを含むことを特徴とする。
【００３１】
また、本発明のテレビ信号受信機能付き携帯電話機の干渉防止方法は、前記干渉判定ステップは、前記携帯電話信号受信部が受信した携帯電話信号の回線品質が所定レベルよりも低く、かつ、前記携帯電話信号受信部が受信した携帯電話信号の受信レベルが所定受信レベルよりも高い場合に、前記携帯電話信号が前記テレビチューナ部から所定レベル以上の干渉を受けていると判定することを特徴とする。
【発明の効果】
【００３２】
本発明によれば、携帯電話信号がテレビチューナ部から所定レベル以上の干渉を受けている場合、テレビチューナ部のチューニング用信号の周波数を変更するので、チューニング用信号に基づいて発生する信号が、携帯電話信号に悪影響を与えることを防止することが可能となる。
【００３３】
また、格納部に、携帯電話信号に悪影響を与えないチューニング用信号の周波数が格納されるので、格納部に格納された周波数を再利用することにより、携帯電話信号に悪影響を与えないチューニング用信号の周波数を複数回求めることを防止することが可能となる。
【００３４】
また、テレビチューナ部として、ダブルスーパヘテロダイン方式を用いても、上記と同様の効果を奏することが可能となる。
【００３５】
また、携帯電話信号がテレビチューナ部から干渉を受けている場合、アンテナ選択部が選択しているアンテナを、複数のアンテナの中で、該アンテナと異なるアンテナに切り替えるので、携帯電話信号を受信する複数のアンテナの中で、テレビチューナ部の影響が少ない、またはテレビチューナ部の影響を受けていないアンテナを、携帯電話信号を受信するためのアンテナとすることが可能となる。
【００３６】
また、格納部に、携帯電話信号に悪影響を与えないアンテナを示すアンテナ情報が格納されるので、格納部に格納されたアンテナ情報を再利用することにより、携帯電話信号に悪影響を与えないアンテナを複数回検出することを防止することが可能となる。
【発明を実施するための最良の形態】
【００３７】
以下、図面を参照して、本発明の一実施例を説明する。
【００３８】
図１は、本発明の一実施例のテレビ信号受信機能付き携帯電話機を示したブロック図である。
【００３９】
図１において、本発明の一実施例のテレビ信号受信機能付き携帯電話機は、アンテナ１と、アンテナ２と、信号分配部３と、携帯電話信号送受信ブロック４と、ＭＣＰＵ５と、ドライバ部６と、スピーカ７と、表示部８と、電源９と、ユーザＩＦ部１０と、キー１１と、テレビチューナ部１２と、デコーダ部１３と、テレビチューナ周波数設定メモリ部１４と、テレビチューナ電源オン／オフ部１５とを含む。
【００４０】
携帯電話信号送受信ブロック４は、アンテナパス切替部４１と、受信無線部４２と、携帯電話シンセサイザ部４３と、送信無線部４４と、ベースバンド部４５とを含む。
【００４１】
ＭＣＰＵ５は、周波数変更部５１と、テレビチューナ電源オン／オフ判定部５２と、携帯電話シンセサイザ周波数設定部５３とを含む。
【００４２】
周波数変更部５１は、受信回線品質判定部５１ａと、受信レベル判定部５１ｂと、テレビチューナシンセサイザ周波数設定変更判定部５１ｃと、テレビチューナシンセサイザ周波数計算部５１ｄと、テレビチューナシンセサイザ周波数設定部５１ｅとを含む。
【００４３】
テレビチューナ部１２は、受信無線部１２ａと、テレビチューナシンセサイザ部１２ｂと、テレビチューナシンセサイザ部１２ｃと、ビデオＩＦ部サウンドＩＦ部１２ｄとを含む。
【００４４】
アンテナ１は、携帯電話信号の送受信およびテレビ信号の受信を行う。アンテナ２は、携帯電話信号の受信を行う。なお、アンテナ１が受信するテレビ信号は、テレビ放送局から送信されるテレビ信号である。また、アンテナ１とアンテナ２とが受信する携帯電話信号は、例えば、無線基地局から指定される受信チャネルにより規定される周波数の携帯電話信号である。以下、「チャネル」を「ＣＨ」と称する。
【００４５】
信号分配部３は、アンテナ１が受信した携帯電話信号を携帯電話信号送受信ブロック４に供給し、アンテナ１が受信したテレビ信号をテレビチューナ部１２に供給する。
【００４６】
携帯電話信号受信部としての携帯電話信号送受信ブロック４は、アンテナ１またはアンテナ２を介して携帯電話信号を受信すると、受信した高周波無線信号である携帯電話信号、具体的には、受信ＣＨにより規定される周波数（以下「受信ＣＨ周波数」と称する。）を有する携帯電話信号を、周波数変換してベースバンド信号を生成し、生成したベースバンド信号をＭＣＰＵ５に送る。
【００４７】
また、携帯電話信号送受信ブロック４は、携帯電話信号の送信時には、送りたい信号（ベースバンド信号）をＭＣＰＵ５から受け、このベースバンド信号を周波数変換して高周波無線信号の携帯電話信号、具体的には送信ＣＨ周波数の携帯電話信号を生成し、生成した携帯電話信号をアンテナ１から送信する。
【００４８】
アンテナパス切替部４１は、受信無線部４２と接続するアンテナとしてアンテナ１またはアンテナ２を選択することにより、受信無線部４２への信号パスルートの切り替えを行う。また、アンテナパス切替部４１は、送信無線部４４と接続するアンテナとしてアンテナ１またはアンテナ２を選択することにより、送信無線部４４からの信号パスルートの切り替えを行う。
【００４９】
受信無線部４２は、アンテナパス切替部４１を介して供給される、種々の受信ＣＨ周波数の携帯電話信号と、携帯電話シンセサイザ部４３から供給されるローカル発振周波数の信号とを混合することにより、種々の受信ＣＨ周波数の携帯電話信号を、一定のＩＦ（中間周波数）信号へと周波数変換する。
【００５０】
携帯電話シンセサイザ部４３は、ＭＣＰＵ５内の携帯電話シンセサイザ周波数設定部５３の制御により、受信無線部４２において、種々の受信ＣＨ周波数の携帯電話信号を、周波数が一定のＩＦ信号に変換するために、ローカル発振周波数を適宜変更した信号を出力する。
【００５１】
ベースバンド部４５は、受信無線部４２から受けたＩＦ信号を復調してベースバンド信号に変換し、変換したベースバンド信号を、ＭＣＰＵ５、具体的には受信回線品質判定部５１ａに送る。さらに、ベースバンド部４５は、受信無線部４２から受けたＩＦ信号を、ＭＣＰＵ５、具体的には受信レベル判定部５１ｂに供給する。
【００５２】
また、ベースバンド部４５は、送信したいデジタルデータをＭＣＰＵ５から受け、このデジタルデータに応じたベースバンド信号を、送信無線部４４に送出する。
【００５３】
送信無線部４４は、携帯電話シンセサイザ部４３が出力する信号を用いて、入力されるベースバンド信号を、送信ＣＨ周波数の信号に変換し、変換した信号をアンテナパス切替部４１に送る。
【００５４】
携帯電話シンセサイザ部４３は、ＭＣＰＵ５内の携帯電話シンセサイザ周波数設定部５３の制御により、送信無線部４４において、ベースバンド信号が送信ＣＨ周波数の信号になるように、出力する信号の周波数を変更する。
【００５５】
アンテナパス切替部４１に供給された送信ＣＨ周波数の信号は、信号分配部３を介してアンテナ１から送出される。
【００５６】
テレビチューナ部１２には、アンテナ１が受信したテレビ信号が、信号分配部３を介して供給される。テレビチューナ部１２は、ユーザにより選局された所望のチャンネルをチューニングするために生成されたチューニング用信号を用いて、テレビ信号の所望のチャンネルをチューニングする。なお、テレビ信号の所望のチャンネルは、ユーザによるキー１１の操作により選局される。
【００５７】
受信無線部１２ａは、ダブルス−パヘテロダイン方式で構成され、テレビチューナシンセサイザ部１２ｂが出力する第１のローカル周波数の信号（以下「第１のチューニング用信号」と称する。）と、信号分配部３を介して供給されるテレビ信号とを混合して、第１の中間周波数信号を生成する。
【００５８】
さらに、受信無線部１２ａは、第１の中間周波数信号と、テレビチューナシンセサイザ部１２ｃが出力する第２のローカル周波数の信号（以下「第２のチューニング用信号」と称する。）とを混合して、第２の中間周波数信号を生成する。
【００５９】
受信無線部１２ａは、第２の中間周波数信号を、ビデオＩＦ部サウンドＩＦ部１２ｄに送出する。
【００６０】
なお、第２の中間周波数信号の周波数は固定であるため、受信したテレビ信号を第２の中間周波数信号に変換できるように、キー１１の操作によって指定された受信テレビチャンネルに応じて、テレビチューナシンセサイザ部１２ｂが出力する第１のチューニング用信号が有する第１のローカル周波数と、テレビチューナシンセサイザ部１２ｃが出力する第２のチューニング信号が有する第２のローカル周波数とは変化させられる。
【００６１】
具体的には、テレビチューナシンセサイザ部１２ｂは、ＭＣＰＵ５内の周波数変更部５１、詳しくは、テレビチューナシンセサイザ周波数設定部５１ｅにより、第１のローカル周波数が制御される。また、テレビチューナシンセサイザ部１２ｃは、ＭＣＰＵ５内の周波数変更部５１、詳しくは、テレビチューナシンセサイザ周波数設定部５１ｅにより、第２のローカル周波数が制御される。
【００６２】
ビデオＩＦ部サウンドＩＦ部１２ｄは、受信無線部１２ａから供給される、第２の中間周波数信号を復調して、映像信号と音声信号とを生成し、生成した映像信号と音声信号とをデコーダ部１３に供給する。
【００６３】
デコーダ部１３は、ビデオＩＦ部サウンドＩＦ部１２ｄから供給された映像信号および音声信号とのそれぞれをデジタルデータに変換し、デジタルデータに変換された映像信号および音声信号とをＭＣＰＵ５に供給する。
【００６４】
ＭＣＰＵ５は、テレビ信号受信機能付き携帯電話機の全体の動作を制御する。
【００６５】
例えば、ＭＣＰＵ５は、デジタルデータに変換された映像信号に応じた表示を、表示部８で実行させ、また、デジタルデータに変換された音声信号に応じた音を、ドライバ部６に供給する。ドライバ部６は、供給された音声信号に応じた音をスピーカ７から出力させる。
【００６６】
また、ＭＣＰＵ５は、ドライバ部６を制御することにより、スピーカ７から、着信時の報知を実行させたり、通話時にはユーザに音声を伝えたりする。また、ＭＰＵ５は、テレビ視聴時には、テレビ信号に応じた音をスピーカ７から出力させる。
【００６７】
また、ＭＣＰＵ５は、テレビ信号受信機能付き携帯電話機が電子メール機能を有している場合は、電子メール受信時のメール内容を表示部８に表示させたり、携帯電話が有する表示機能に応じた表示を表示部８に実現させたり、テレビ視聴時にテレビ画像を表示部８に表示させたりする。
【００６８】
また、ＭＣＰＵ５は、ユーザＩＦ部２９を介して入力されるキー１１のユーザによる操作に応じて、携帯電話機としての所定の動作の制御およびテレビ受像機としての所定の動作の制御を行う。
【００６９】
ＭＣＰＵ５は、ユーザによるユーザＩＦ部２９を介したキー１１の操作に応じて、テレビチューナ電源オン／オフ判定部５２を動作させて、テレビチューナ電源オン／オフ部１５にテレビチューナ部１２への電源の供給の要否を伝える。
【００７０】
テレビチューナ電源オン／オフ判定部５２は、キー１１のユーザによる操作によりテレビオン状態となった場合、テレビチューナ電源オン／オフ１５により、テレビチューナ部１２に電源を供給させ、キー１１のユーザによる操作によりテレビオフ状態となった場合、テレビチューナ電源オン／オフ１５により、テレビチューナ部１２への電源の供給を停止する。
【００７１】
電源９はバッテリーパック等の携帯型電源であり、テレビ信号受信機能付き携帯電話機の電源となる。
【００７２】
ＭＣＰＵ５内の周波数変更部５１は、アンテナ１またはアンテナ２を介して携帯電話信号送受信ブロック４が受信した携帯電話信号に基づき、該携帯電話信号がテレビチューナ部１２から所定レベル以上の干渉を受けているか否かを判定し、該携帯電話信号がテレビチューナ部１２から所定レベル以上の干渉を受けていると判定した場合、テレビチューニング部１２がチューニングしているチャンネルを維持する範囲で、テレビチューナ部１２のチューニング用信号の周波数を変更する。
【００７３】
なお、周波数変更部５１は、携帯電話信号送受信ブロック４が受信した携帯電話信号の回線品質が所定レベルよりも低く、かつ、携帯電話信号送受信ブロック４が受信した携帯電話信号の受信レベルが所定受信レベルよりも高い場合に、携帯電話信号送受信ブロック４が受信した携帯電話信号がテレビチューナ部１２から所定レベル以上の干渉を受けていると判定する。
【００７４】
受信回線品質判定部５１ａは、携帯電話信号送受信ブロック４が受信した携帯電話信号の回線品質が所定レベルよりも低いか否か判定する。本実施例では、受信回線品質判定部５１ａは、ベースバンド部４５から供給されたベースバンド信号の位相情報に基づき、アンテナ１またはアンテナ２を介して携帯電話信号送受信ブロック４が受信した携帯電話信号の受信回線品質を判定する。
【００７５】
具体的には、受信回線品質判定部５１ａは、ベースバンド部４５から供給されたベースバンド信号の位相情報に基づき、アンテナ１またはアンテナ２を介して携帯電話信号送受信ブロック４が受信した携帯電話信号のビットエラーレートを推測し、推定したビットエラーレートに基づき、受信した携帯電話信号の受信回線品質を判定する。
【００７６】
なお、本実施例では、受信回線品質判定部５１ａは、ビットエラーレートが一定値Ｍ以上の場合を「受信回線品質が悪い」（以下「悪」と称する。）、ビットエラーレートが一定値Ｍより小さくかつビットエラーレートが一定値Ｎ以上であれば「受信回線品質が中程度」（以下「中」と称する。）、ビットエラーレートが一定値Ｎより小さい場合を「受信回線品質が良」（以下「良」と称する。）と判定する。
【００７７】
受信レベル判定部５１ｂは、ベースバンド部４５が出力する信号に基づき、アンテナ１またはアンテナ２を介して携帯電話信号送受信ブロック４が受信した携帯電話信号の受信レベルを検出し、検出した受信レベルの判定を行う。本実施例では、受信レベル判定部５１ｂは、アンテナ１またはアンテナ２を介して携帯電話信号送受信ブロック４が受信した携帯電話信号の受信レベルが、所定受信レベル以上であるか否か判定する。
【００７８】
テレビチューナシンセサイザ周波数設定変更判定部５１ｃは、受信回線品質判定部５１ａが行った受信回線品質判定の結果と、受信レベル判定部５１ｂが行った受信レベル判定の結果と、テレビチューナ電源オン／オフ判定部５２が行ったテレビチューナ部１２のオン／オフ判定とに基づき、テレビチューナシンセサイザ部１２ｂが出力する第１のチューニング用信号の第１のローカル周波数と、テレビチューナシンセサイザ部１２ｃが出力する第２のチューニング用信号の第２のローカル周波数との変更の必要性の有無を判定する。
【００７９】
具体的には、テレビチューナシンセサイザ周波数設定変更判定部５１ｃは、受信回線品質判定部５１ａが行った受信回線品質判定の結果が「悪」で、かつ、受信レベル判定部５１ｂが行った受信レベル判定の結果が所定受信レベル以上の場合に、携帯電話信号送受信ブロック４が受信した携帯電話信号がテレビチューナ部１２から所定レベル以上の干渉を受けていると判定し、携帯電話信号送受信ブロック４が受信した携帯電話信号がテレビチューナ部１２から所定レベル以上の干渉を受けていると判定した場合、各ローカル周波数の変更が必要と判定する。
【００８０】
テレビチューナシンセサイザ周波数計算５１ｄは、テレビチューナシンセサイザ周波数設定変更判定部５１ｃの判定結果に基づき、テレビチューナシンセサイザ部１２ｂが出力する第１のチューニング用信号の第１のローカル周波数と、テレビチューナシンセサイザ部１２ｃが出力する第２のチューニング用信号の第２のローカル周波数とを計算する。
【００８１】
テレビチューナシンセサイザ周波数設定部５１ｅは、テレビチューナシンセサイザ周波数計算５１ｄが計算した第１のローカル周波数をテレビチューナシンセサイザ部１２ｂに出力し、テレビチューナシンセサイザ周波数計算５１ｄが計算した第１のローカル周波数の第１のチューニング用信号をテレビチューナシンセサイザ部１２ｂから出力させる。
【００８２】
また、テレビチューナシンセサイザ周波数設定部５１ｅは、テレビチューナシンセサイザ周波数計算５１ｄが計算した第２のローカル周波数をテレビチューナシンセサイザ部１２ｃに出力し、テレビチューナシンセサイザ周波数計算５１ｄが計算した第２のローカル周波数の第２のチューニング用信号をテレビチューナシンセサイザ部１２ｃから出力させる。
【００８３】
また、周波数変更部５１は、チューニング用信号の周波数の変更により、テレビチューナ部１２による携帯電話信号への干渉が、所定レベルより低くなった場合、変更後のチューニング用信号の周波数と、そのときのテレビ信号の所望のチャンネルと、そのときの携帯電話信号の周波数を示す携帯電話信号チャンネルとを関連づけて、テレビチューナ周波数設定メモリ部１４に格納する。
【００８４】
また、周波数変更部５１は、携帯電話信号送受信ユニット４が携帯電話信号を受信した際に、テレビチューナ部１２がチューニングしているテレビ信号のチャンネルと携帯電話信号送受信ユニット４が受信した携帯電話信号の周波数を示す携帯電話信号チャンネルとに関連づけられているチューニング用信号の周波数がテレビチューナ周波数設定メモリ部１４に格納されている場合に、テレビチューナ部１２のチューニング用信号の周波数を、テレビチューナ部１２がチューニングしているテレビ信号のチャンネルと携帯電話信号送受信ユニット４が受信した携帯電話信号の周波数を示す携帯電話信号チャンネルとに関連づけられてテレビチューナ周波数設定メモリ１４に格納されているチューニング用信号の周波数に変更する。
【００８５】
図２は、テレビチューナ部１２内の受信無線部１２ａの一例と、テレビチューナシンセサイザ部１２ｂと、テレビチューナシンセサイザ部１２ｃとを示したブロック図である。なお、図２において、図１と同一構成のものには、同一符号を附してある。
【００８６】
図２において、ダブルスーパヘテロダイン方式の受信無線部１２ａは、アンプ１２ａ１と、ＡＧＣ（自動利得制御）アンプ１２ａ２と、第１のミキサー１２ａ３と、ＳＡＷ（Surface Acoustic Wave）フィルタ１２ａ４と、第２のミキサー１２ａ５と、ＳＡＷフィルタ１２ａ６とを含む。
【００８７】
アンプ１２ａ１は、信号分配部３を介して供給される、アンテナ１が受信したテレビ信号を受信し、受信したテレビ信号を増幅する。ＡＧＣアンプ１２ａ２は、アンプ１２ａ１の出力を増幅する。つまり、ＡＧＣアンプ１２ａ２は、テレビ信号を出力する。
【００８８】
第１のミキサー１２ａ３は、ＡＧＣアンプ１２ａ２の出力（テレビ信号）と、テレビチューナシンセサイザ部１２ｂが出力する第１のチューニング用信号とをミキシングして第１の中間周波数信号を生成する。
【００８９】
ＳＡＷフィルタ１２ａ４は、第１のミキサー１２ａ３が出力する第１の中間周波数信号から希望の周波数の信号、具体的には、テレビ第１周波数信号を抽出する。なお、ＳＡＷフィルタ１２ａ４が抽出する信号の周波数は、第１のチューニング用信号の周波数（第１のローカル周波数）からテレビ信号の周波数を引いた周波数である。
【００９０】
第２のミキサ−１２ａ５は、ＳＡＷフィルタ１２ａ４で抽出されたテレビ第１周波数信号と、テレビチューナシンセサイザ部１２ｃが出力する第２のチューニング用信号とをミキシングして第２の中間周波数信号を生成する。
【００９１】
ＳＡＷフィルタ１２ａ６は、第２のミキサー１２ａ５が出力する第２の中間周波数信号から所定の周波数の信号、具体的には、テレビ第２周波数信号を抽出する。なお、ＳＡＷフィルタ１２ａ６が抽出する信号の周波数は、第２のチューニング用信号の周波数（第２のローカル周波数）からテレビ第１周波数信号の周波数を引いた周波数である。
【００９２】
次に、テレビチューナ部１２が動作することにより発生する信号と、携帯電話信号との関係についてについて説明する。
【００９３】
例えば、キー１１によりテレビ放送の特定のチャンネルが指定され、この特定のチャンネルを選局（チューニング）するために、テレビチューナシンセサイザ部１２ｂが、第１のローカル周波数が１３２２ＭＨｚの第１のチューニング用信号を出力し、テレビチューナシンセサイザ部１２ｃが、第２のローカル周波数が１１６０ＭＨｚの第２のチューニング用信号を出力する場合、テレビチューナ部１２内の能動素子（アンプ１２ａ１と、ＡＧＣアンプ１２ａ２と、第１のミキサー１２ａ３および第２のミキサー１２ａ５）において、１３２２ＭＨｚ×２−１１６０ＭＨｚ＝１４８４ＭＨｚの周波数の信号が生じる。
【００９４】
この周波数の信号は、例えば、アンテナ１を経由して、または電源ラインを経由して、携帯電話信号送受信ブロック４内の受信無線部４２に到達する可能性がある。
【００９５】
このような状況において、例えば、携帯電話信号の受信周波数帯域が８１０〜８８５ＭＨｚおよび１４７７ＭＨｚ〜１５０１ＭＨｚであると、テレビチューナ部１２内の能動素子で発生する信号が、携帯電話の受信周波数範囲となるため、携帯電話にとっては妨害波となる可能性が生じる。
【００９６】
具体的には、携帯電話信号の受信ＣＨ周波数が１４８４ＭＨｚであった場合には、テレビチューナ部１２内の能動素子で発生する１４８４ＭＨｚの周波数の信号が、携帯電話信号の妨害波となり、携帯電話信号の受信感度が劣化し、通話ができない、またはメール通信ができない等の問題が発生する。
【００９７】
また、テレビチューナ部１２で用いる第１または第２のチューニング用信号の周波数（ローカル周波数）と、携帯電話信号の受信ＣＨ周波数が同一となった場合にも、第１または第２のチューニング用信号が携帯電話信号の妨害波となり、携帯電話信号の受信感度が劣化し、通話ができない、またはメール通信ができない等の問題が発生する。
【００９８】
また、テレビチューナ部１２で用いる第１または第２のチューニング用信号の周波数（ローカル周波数）が１６２０ＭＨｚであった場合、テレビチューナ部１２内の能動素子において、１６４０ＭＨｚ／２＝８２０ＭＨｚの周波数の信号が生じる。この場合、携帯電話信号の受信ＣＨ周波数が８２０ＭＨｚのとき、テレビチューナ部１２内の能動素子で発生する８２０ＭＨｚの周波数の信号が、携帯電話信号の妨害波となり、携帯電話信号の受信感度が劣化し、通話ができない、またはメール通信ができない等の問題が発生する。
【００９９】
また、テレビチューナシンセサイザ部１２ｂが、第１のローカル周波数が１３９０ＭＨｚの第１のチューニング用信号を出力し、テレビチューナシンセサイザ部１２ｃが、第２のローカル周波数が１１６０ＭＨｚの第２のチューニング用信号を出力する場合、テレビチューナ部１２内の能動素子において、（１３９０ＭＨｚ×２−１１６０ＭＨＺ）／２＝８１０ＭＨｚの周波数の信号が生じる。
【０１００】
この場合、携帯電話信号の受信ＣＨ周波数が８１０ＭＨｚのとき、テレビチューナ部１２内の能動素子で発生する８１０ＭＨｚの周波数の信号が、携帯電話信号の妨害波となり、携帯電話信号の受信感度が劣化し、通話ができない、またはメール通信ができない等の問題が発生する。
【０１０１】
このように、テレビチューナ部１２が動作することにより発生する信号は複数種類あり、この複数種類の信号のすべてに対して、携帯電話信号の妨害波となるか否かを検証することは、設計時に非常に多くの時間と多くの労力を有する。
【０１０２】
本実施例では、携帯電話信号送受信ブロック４で受信した携帯電話信号が、テレビ信号の所望のチャンネルをチューニングするテレビチューナ部１２から所定レベル以上の干渉を受けているか否かを判定し、該携帯電話信号がテレビチューナ部１２から所定レベル以上の干渉を受けている場合、テレビチューナ部１２のチューニング用信号の周波数を自動的に変更する。なお、テレビチューナ部１２のチューニング用信号の周波数は、前記所望のテレビ用チャンネルに応じたテレビ信号をチューニング可能な範囲で変更する。
【０１０３】
具体的には、周波数変更部５１は、テレビチューナ部１２が動作中に、携帯電話信号の受信回線品質が悪く、かつ、携帯電話信号において一定受信レベル以上が検出された場合には、携帯電話信号がテレビチューナ部１２から所定レベル以上の干渉を受けていると判断する。
【０１０４】
周波数変更部５１は、携帯電話信号がテレビチューナ部１２から所定レベル以上の干渉を受けていると判断した場合、テレビチューナシンセサイザ部１２ｂが出力する第１のチューニング用信号の周波数とテレビチューナシンセサイザ部１２ｃが出力する第２のチューニング用信号の周波数とを、所定の範囲内で、携帯電話信号の受信回線品質の劣化が所定のレベルよりも少なくなるまで一定周波数間隔で変更する。
【０１０５】
例えば、本実施例において、テレビチューナ部１２が動作していないときに受信レベルがＡｄＢμ以上であれば受信回線品質がほとんど「悪」に判定されず「中」か「良」に判定される場合、テレビチューナ部１２が動作中に受信回線品質が「悪」の判定で、かつ受信レベルがＡｄＢμ以上であった場合には、携帯電話信号がテレビチューナ部１２から所定レベル以上の干渉を受けていると予測される。
【０１０６】
本実施例では、テレビチューナ部１２が動作中に、受信回線品質が「悪」の判定で、かつ受信レベルがＡｄＢμ以上であった場合に、受信回線品質が「悪」から「中」または「良」になるまで、テレビチューナシンセサイザ部１２ｂが出力する第１のチューニング用信号の周波数とテレビチューナシンセサイザ部１２ｃが出力する第２のチューニング用信号の周波数とを変更していく。
【０１０７】
ここで、図２に示したようなダブルスーパヘテロダイン方式の受信無線部１２ａにおいて、以下の式が成立する。
（１）テレビ信号の周波数−第１のローカル周波数＝テレビ第１周波数信号の周波数
（２）テレビ第１周波数信号の周波数−第２のローカル周波数＝テレビ第２周波数信号の周波数
上記（１）と（２）の２式より、
（３）テレビ信号の周波数−第１のローカル周波数−第２のローカル周波数＝テレビ第２周波数信号の周波数
（４）テレビ信号の周波数−テレビ第２周波数信号の周波数＝第１のローカル周波数＋第２のローカル周波数
ここで、テレビ信号の周波数は一定、テレビ第２周波数信号の周波数を通過させるＳＡＷフィルタ１２ａ６の帯域幅は狭いため、テレビ第２周波数信号の周波数は変更不可能であることから、第１のローカル周波数＋第２のローカル周波数の値が一定の値となる。
【０１０８】
したがって、周波数変更部５１は、テレビチューナ部１２が動作中に、受信回線品質が「悪」の判定で、かつ受信レベルがＡｄＢμ以上であった場合に、受信回線品質が「悪」から「中」または「良」になるまで、第１のローカル周波数＋第２のローカル周波数の値が一定の値となる範囲で、テレビチューナシンセサイザ部１２ｂが出力する第１のチューニング用信号の周波数とテレビチューナシンセサイザ部１２ｃが出力する第２のチューニング用信号の周波数とを変更していく。
【０１０９】
例えば、テレビチューナシンセサイザ部１２ｂが、第１のローカル周波数が１３２２ＭＨｚの第１のチューニング用信号を出力し、テレビチューナシンセサイザ部１２ｃが、第２のローカル周波数が１１６０ＭＨｚの第２のチューニング用信号を出力する場合において、１４８４ＭＨｚの周波数の携帯電話信号を受信する場合、第１のローカル周波数を１３２２ＭＨｚから１３２０ＭＨｚに変更するとともに、第２のローカル周波数を１１６０ＭＨｚから１１６２ＭＨｚに変更する。
【０１１０】
第１のローカル周波数を１３２２ＭＨｚから１３２０ＭＨｚに変更するとともに、第２のローカル周波数を１１６０ＭＨｚから１１６２ＭＨｚに変更した場合、テレビチューナ部１２内の能動素子において発生する信号は、１３２０ＭＨｚ×２−１１６２ＭＨｚ＝１４７８ＭＨｚとなり、受信する携帯電話信号の周波数（１４８４ＭＨｚ）と同一ではなくなり、周波数干渉は回避可能となる。
【０１１１】
第１のローカル周波数と第２のローカル周波数との変更により、受信回線品質が「悪」とならなくなると、周波数変更部５１は、現在受信している携帯電話信号の周波数を示す携帯電話信号チャンネル（携帯電話ＣＨ）と、テレビチューナ部１２がチューニングしているテレビチャンネル（ＴＶＣＨ）と、変更後の第１のローカル周波数と、変更後の第２のローカル周波数とを関連づけて、テレビチューナ周波数設定メモリ部１４に格納する。
【０１１２】
図３は、テレビチューナ周波数設定メモリ部１４に格納される情報の一例を示した図である。
【０１１３】
図３において、テレビチューナ周波数設定メモリ部１４は、携帯電話ＣＨ欄１４ａと、テレビＣＨ欄１４ｂと、第１のローカル周波数欄１４ｃと、第２のローカル周波数欄１４ｄとを含む。
【０１１４】
携帯電話ＣＨ欄１４ａと、テレビＣＨ欄１４ｂと、第１のローカル周波数欄１４ｃと、第２のローカル周波数欄１４ｄとは、行方向に関連づけられている。図３の場合、例えば、携帯電話ＣＨ２８０と、テレビＣＨ３と、第１のローカル周波数１３２０ＭＨｚと、第２のローカル周波数１１６２ＭＨｚとは、同一の行に存在するので、それらは互いに関連づけられている。
【０１１５】
周波数変更部５１は、ユーザによりキー１１の操作により選局された携帯電話信号を受信した場合に、ユーザのキー１１の操作により選局されたチャンネル、すなわちテレビチューナ部１２が、チューニングしている所望のチャンネルと、受信した携帯電話信号に応じた携帯電話ＣＨとに関連づけられているチューニング信号の周波数が、テレビチューナ周波数設定メモリ部１４に格納されているか否か判断する。
【０１１６】
周波数変更部５１は、テレビチューナ部１２がチューニングしているチャンネルと受信した携帯電話信号に応じたチャンネルとに関連づけられているチューニング信号の周波数がテレビチューナ周波数設定メモリ部１４に格納されている場合には、テレビチューナ部１２のチューニング用信号の周波数を、テレビチューナ部１２がチューニングしているチャンネルと受信した携帯電話信号に応じたチャンネルとに関連づけられてテレビチューナ周波数設定メモリ部に格納されているチューニング信号の周波数に変更する。
【０１１７】
例えば、テレビチューナ周波数設定メモリ部１４に、図３に示すような情報が格納されている際に、受信した携帯電話信号に応じたチャンネルが「２８０」で、かつ、テレビチューナ部１２がチューニングしているチャンネルが「３」である場合、周波数変更部５１は、携帯電話ＣＨ「２８０」とＴＶＣＨ「３」とに関連づけられている第１のローカル周波数「１３２０ＭＨｚ」および第２のローカル周波数「１１６２ＭＨｚ」とを読み出す。
【０１１８】
続いて、周波数変更部５１は、テレビチューナシンセサイザ部１２ｂが出力する第１のチューニング用信号の周波数を、読み出した第１のローカル周波数「１３２０ＭＨｚ」に変更し、テレビチューナシンセサイザ部１２ｃが出力する第２のチューニング用信号の周波数を、読み出した第２のローカル周波数「１１６２ＭＨｚ」に変更する。
【０１１９】
次に、動作を説明する。
【０１２０】
図４は、図１に示したテレビ信号受信機能付き携帯電話機の動作を説明するためのフローチャートである。
【０１２１】
以下、図４を参照して、図１に示したテレビ信号受信機能付き携帯電話機の動作を説明する。
【０１２２】
なお、テレビチューナシンセサイザ周波数設定変更判定部５１ｃは、第１のローカル周波数と第２のローカル周波数の変更回数を示す変数ｎを有し、初期状態において、変数ｎは、ｎ＝１に設定されているものとする。
【０１２３】
通常状態、具体的には携帯電話信号を受信していない状態（ステップ４０１）において、携帯電話信号送受信ブロック４にて携帯電話信号を受信すると（ステップ４０２）、携帯電話信号送受信ブロック４は、携帯電話信号を受信したことを周波数変更部５１に通知する。
【０１２４】
周波数変更部５１が携帯電話信号を受信したことの通知を受けると、周波数変更部５１内のテレビチューナシンセサイザ周波数設定変更判定部５１ｃは、テレビチューナ電源オン／オフ判定部５２の判定結果に基づき、テレビチューナ部１２の電源がオン状態であるかの確認を行う（ステップ４０３）。
【０１２５】
ステップ４０３で、テレビチューナ部１２の電源がオン状態であれば、テレビチューナシンセサイザ周波数変更判定部５１ｃは、受信回線品質判定部５１ａの出力に基づき、受信した携帯電話信号の回線品質を確認する（ステップ４０４）。
【０１２６】
なお、ステップ４０２で、携帯電話信号の受信がない場合、ステップ４０１の通常状態に戻る。また、ステップ４０３で、テレビチューナ部１２の電源がオン状態でないと、携帯電話信号の受信動作（ステップ４１０）に移る。
【０１２７】
ステップ４０４で、受信回線品質が「悪」と判定されている場合、テレビチューナシンセサイザ周波数変更判定部５１ｃは、受信レベル判定部５１ｂの出力に基づき、受信した携帯電話信号の受信レベルを確認し、受信レベルが、テレビチューナ部１２が動作していないときに、受信した携帯電話信号の回線品質が「中」になるレベルＡｄＢμ以上であるか確認する（ステップ４０５）。
【０１２８】
なお、ステップ４０４で、回線品質が「悪」でなければ、ステップ４１０に進む。
【０１２９】
ステップ４０５で、テレビチューナシンセサイザ周波数設定変更判定部５１ｃが、回線品質が「悪」で、かつ受信レベルがAｄＢμ以上であると確認した場合、受信レベルは携帯電話信号を所定の回線品質以上で受信可能なレベルであるのに回線品質が悪いため、携帯電話信号の妨害波、具体的には、テレビチューナ部１２から発生される、受信した携帯電話信号への干渉波が存在し、受信した携帯電話信号がテレビチューナ部１２から所定レベル以上の干渉を受けていると判断する。
【０１３０】
テレビチューナシンセサイザ周波数設定変更判定部５１ｃは、受信した携帯電話信号がテレビチューナ部１２から所定レベル以上の干渉を受けていると判断すると、周波数の変更を指示する信号を、テレビチューナシンセサイザ周波数計算部５１ｄに供給する。
【０１３１】
周波数の変更を指示する信号を受けたテレビチューナシンセサイザ周波数計算部５１ｄは、テレビチューナシンセサイザ部１２ｂの第１のローカル周波数を、その初期値から−ＢｋＨｚ×ｎだけ変更した周波数と、テレビチューナシンセサイザ部１２ｃの第２のローカル周波数を、その初期値から＋ＢｋＨｚ×ｎだけ変更した周波数とを求める計算を行い、計算した２つの周波数をテレビチューナシンセサイザ周波数設定部５１ｅに送出する。
【０１３２】
なお、第１のローカル周波数の初期値は、テレビチューナシンセサイザ周波数計算部５１ｄに格納されているものとする。また、第２のローカル周波数の初期値は、テレビチューナシンセサイザ周波数計算部５１ｄに格納されているものとする。
【０１３３】
テレビチューナシンセサイザ周波数設定部５１ｅは、テレビチューナシンセサイザ部１２ｂに対して、テレビチューナシンセサイザ周波数計算部５１ｄにより計算された、第１のローカル周波数の初期値から−ＢｋＨｚ×ｎだけ変更した周波数を設定するための設定データを出力する。テレビチューナシンセサイザ部１２ｂは、第１のローカル周波数を、周波数設定データが示す周波数に設定する。
【０１３４】
テレビチューナシンセサイザ周波数設定部５１ｅは、テレビチューナシンセサイザ部１２ｃに対して、テレビチューナシンセサイザ周波数計算部５１ｄにより計算された、第２のローカル周波数の初期値から＋ＢｋＨｚ×ｎだけ変更した周波数を設定するための設定データを出力する。テレビチューナシンセサイザ部１２ｃは、第２のローカル周波数を、周波数設定データが示す周波数に設定する。
【０１３５】
また、テレビチューナ周波数設定変更判定部２８は、ＴＶチューナシンセサイザ部の周波数変更回数を示す変数ｎの値が、Ｃ回以上であるか判断し（ステップ４０７）、変数ｎがＣ−１回以下ならば、ステップ４０６で変更したローカル周波数のもとで受信した携帯電話信号の回線品質を確認する（ステップ４０８）。
【０１３６】
ここで、上記Ｃについて説明する。
【０１３７】
テレビチューナ部１２内の受信無線部１２ａにおいては、第１のローカル周波数をずらすために、第１の中間周波数信号の周波数がずれる。しかしながら、図２に示したＳＡＷフィルタ１２ａ４の帯域幅の関係で、第１の中間周波数信号の周波数をずらす量にも限界がある。上記Ｃは、このずらす限界値を規定するものであり、本実施例では、ずらす限界値は±（Ｂ×Ｃ）ｋＨｚとして規定され、この±（Ｂ×Ｃ）ｋＨｚで規定される範囲は、第１および第２のチューニング用信号の周波数を変更しても、テレビチューニング部１２がチューニングしているチャンネル、具体的には、キー１１によってユーザにより設定されたチャンネルを維持する範囲になるように適宜設定する。
【０１３８】
ステップ４０７で、変数ｎがＣ以上となった場合、テレビチューナ部１２のローカル周波数をずらしても、携帯電話信号の回線品質の劣化が改善されず、携帯電話信号の回線品質の劣化は、テレビチューナ部１２のチューニング用信号と異なる原因での劣化であると予測されるため、ステップ４１０に移る。
【０１３９】
ステップ４０５で、受信レベルＡｄＢμ以下であると確認された場合には、受信レベルが低いせいで回線品質が悪い可能性が高いため、ステップ４１０に移る。
【０１４０】
ステップ４０８で、受信回線品質が「悪」と判断された場合は、テレビチューナシンセサイザ周波数設定変更判定部５１ｃは、変数ｎに１を加算し（ステップ４１１）、ステップ４０５に戻る。
【０１４１】
ステップ４０８で、受信回線品質が「悪」でなくなった場合には、テレビチューナシンセサイザ周波数設定変更判定部５１ｃは、受信回線品質が「悪」でなくなったことを示す信号をテレビチューナシンセサイザ周波数計算部５１ｄに供給する。
【０１４２】
テレビチューナシンセサイザ周波数計算部５１ｄは、受信回線品質が「悪」でなくなったことを示す信号を受け取ると、現在受信の携帯電話ＣＨと、テレビチューナ部１２がチューニングしているテレビチャンネルと、変更後の第１のローカル周波数と、変更後の第２のローカル周波数とを関連づけて、テレビチューナ周波数設定メモリ部１４に格納し（ステップ４０９）、ステップ４１０に移る。
【０１４３】
本実施例では、携帯電話信号が所定レベル以上の干渉をテレビチューナ部１２から受けていると判断した場合、自動的にチューニング用信号の周波数を変更していくので、チューニング信号に基づいて発生する信号が、携帯電話信号に悪影響を与えることを防止可能となり、テレビ信号に基づく映像および音声を視聴しているときの、通話特性の劣化を防止することが可能となる。
【０１４４】
図５は、テレビチューナ周波数設定メモリ部１４に格納された情報を利用して、テレビチューナ部１２が用いるチューニング用信号の周波数を変更する動作を説明するためのフローチャートである。
【０１４５】
以下、図５を参照して、テレビチューナ周波数設定メモリ部１４に格納された情報を利用して、テレビチューナ部１２が用いるチューニング用信号の周波数を変更する動作を説明する。
【０１４６】
通常状態、具体的には携帯電話信号を受信していない状態（ステップ５０１）において、携帯電話信号送受信ブロック４にて携帯電話信号を受信すると（ステップ５０２）、携帯電話信号送受信ブロック４は、携帯電話信号を受信したことを周波数変更部５１に通知する。
【０１４７】
周波数変更部５１が携帯電話信号を受信したことの通知を受けると、周波数変更部５１内のテレビチューナシンセサイザ周波数設定変更判定部５１ｃは、テレビチューナ電源オン／オフ判定部５２の判定結果に基づき、テレビチューナ部１２の電源がオン状態であるかの確認を行う（ステップ５０３）。
【０１４８】
ステップ５０３で、テレビチューナ部１２の電源がオン状態であれば、テレビチューナシンセサイザ周波数設定変更判定部５１ｃは、テレビチューナ周波数設定メモリ部１４に格納されている携帯電話ＣＨとＴＶＣＨとを確認する（ステップ５０４）。
【０１４９】
テレビチューナ周波数設定メモリ部１４に格納されている情報の中で、現在受信している携帯電話ＣＨと現在チューニングしているＴＶＣＨとが関連づけて記憶されている組合せがあれば（ステップ５０５）、テレビチューナシンセサイザ周波数設定変更判定部５１ｃは、該組合せと関連づけて格納されている第１および第２のローカル周波数を、テレビチューナ周波数設定メモリ部１４からテレビチューナシンセサイザ周波数設定部５１ｅへ出力させる。
【０１５０】
テレビチューナシンセサイザ周波数設定部５１ｅは、テレビチューナシンセサイザ部１２ｂに対して、テレビチューナ周波数設定メモリ部１４から供給された第１のローカル周波数を設定するための周波数設定データを出力する。テレビチューナシンセサイザ部１２ｂは、第１のローカル周波数を、周波数設定データが示す周波数に設定する。
【０１５１】
テレビチューナシンセサイザ周波数設定部５１ｅは、テレビチューナシンセサイザ部１２ｃに対して、テレビチューナ周波数設定メモリ部１４から供給された第２のローカル周波数を設定するための周波数設定データを出力する。テレビチューナシンセサイザ部１２ｃは、第２のローカル周波数を、周波数設定データが示す周波数に設定する（ステップ５０６）。
【０１５２】
ステップ５０６が終了すると、動作は、携帯電話信号の受信動作に移る（ステップ５０７）。
【０１５３】
ステップ５０２で、携帯電話信号の受信がない場合は、ステップ５０１に戻る。
【０１５４】
ステップ５０３で、テレビチューナ部１２の電源がオン状態でないと、ステップ５０７に移る。
【０１５５】
また、ステップ５０５で、現在受信している携帯電話信号のＣＨと現在チューニングしているテレビＣＨとが関連づけて記憶されている組合せが、テレビチューナ周波数設定メモリ部１４に格納されていない場合、チューニング用信号の周波数（ローカル周波数）を変更する（ステップ５０８）。
【０１５６】
なお、ステップ５０８の具体的な処理内容は、図４に示すステップ４０４以降の動作と同様である。
【０１５７】
本実施例では、テレビチューナ周波数設定メモリ部１４に格納されている情報に基づき、テレビチューナ部１２のチューニング用信号の周波数を、携帯電話信号に悪影響を与えない周波数に変更できるので、簡単に、テレビ信号に基づく映像および音声を視聴しているときの、通話特性の劣化を防止することが可能となる。
【０１５８】
次に、本発明の他の実施例を説明する。
【０１５９】
図６は、本発明の他の実施例のテレビ信号受信機能付き携帯電話機を示したブロック図である。なお、図６において、図１と同一構成のものには、同一符号を附してある。
【０１６０】
図６に示した本発明の他の実施例のテレビ信号受信機能付き携帯電話機の概要は、以下の通りである。
【０１６１】
図１に示した実施例は、テレビチューナ部１２のチューニング用信号に起因する携帯電話信号への悪影響を低減するものであったが、テレビチューナ部１２に起因する携帯電話信号への悪影響は、携帯電話信号を受信するアンテナとテレビチューナ部１２との位置関係によっても生じる。
【０１６２】
例えば、アンテナ２とテレビチューナ部１２との間の距離が、アンテナ１とテレビチューナ部１２との間の距離より短い場合、アンテナ２を介して携帯電話信号を受信する場合にテレビチューナ部１２から悪影響を受け、アンテナ１を介して携帯電話信号を受信する場合にテレビチューナ部１２から悪影響を受けない場合がある。
【０１６３】
図６に示した実施例の１つの特徴は、受信した携帯電話信号が、テレビチューナ部１２から所定レベル以上の干渉を受けている場合には、携帯電話信号を受信するアンテナを切り替えて、テレビチューナ部１２から悪影響を受けていないアンテナを用いて携帯電話信号を受信することが可能となる点である。
【０１６４】
図６において、図１に示したテレビ信号受信機能付き携帯電話機と異なる点は、図１に示した周波数変更部５１のかわりに、アンテナ切り替え部５４が追加された点であり、より具体的には、図１に示したテレビチューナシンセサイザ周波数設定変更判定部５１ｃのかわりに、アンテナパス判定部５４ａとアンテナパス切替制御部５４ｂとが追加され、また、テレビチューナ周波数設定メモリ部１４のかわりにアンテナパスメモリ部１６が追加される。
【０１６５】
図６において、アンテナ切り替え部５４は、受信回線品質判定部５１ａと、受信レベル判定部５１ｂと、アンテナパス判定部５４ａと、アンテナパス切替制御部５４ｂとを含む。
【０１６６】
アンテナ切り替え部５４は、アンテナ選択部としてのアンテナパス切替部４１が選択したアンテナが受信した携帯電話信号に基づき、該携帯電話信号がテレビチューナ部１２から所定レベル以上の干渉を受けているか否かを判定し、該携帯電話信号がテレビチューナ部１２から所定レベル以上の干渉を受けていると判定した場合、アンテナパス切替部４１が選択しているアンテナを、複数のアンテナの中で、アンテナパス切替部４１が選択しているアンテナと異なるアンテナに切り替える。
【０１６７】
アンテナパス判定部５４ａは、受信回線品質判定部５１ａが行った受信回線品質判定の結果と、受信レベル判定部５１ｂが行った受信レベル判定の結果と、テレビチューナ電源オン／オフ判定部５２が行ったテレビチューナ部１２のオン／オフ判定とに基づき、携帯電話信号送受信ブロック４が受信した携帯電話信号がテレビチューナ部１２から所定レベル以上の干渉を受けていると判定し、携帯電話信号送受信ブロック４が受信した携帯電話信号がテレビチューナ部１２から所定レベル以上の干渉を受けていると判定した場合に、携帯電話信号を受信するアンテナとして、アンテナ１とアンテナ２のうちのどちらを用いるか判定し、その判定結果を、アンテナパス切替制御部５４ｂに出力する。
【０１６８】
なお、アンテナ切り替え部５４、具体的にはアンテナパス判定部５４ａは、受信回線品質判定部５１ａが行った受信回線品質判定の結果と、受信レベル判定部５１ｂが行った受信レベル判定の結果とに基づき、携帯電話信号送受信ブロック４が受信した携帯電話信号の回線品質が所定レベルよりも低く、かつ、携帯電話信号送受信ブロック４が受信した携帯電話信号の受信レベルが所定受信レベルよりも高い場合に、携帯電話信号送受信ブロック４が受信した携帯電話信号がテレビチューナ部１２から所定レベル以上の干渉を受けていると判定する。
【０１６９】
アンテナパス切替制御部５４ｂは、アンテナパス判定部５４ａの判定結果に応じてアンテナパス切替部４１を制御して、携帯電話信号を受信するアンテナとして、アンテナパス切替部４１が、アンテナパス判定部５４ａの判定結果に応じたアンテナを選択するようにする。
【０１７０】
また、アンテナパス切替部４１のアンテナ切り替え動作後の受信回線品質判定部５１ａの判定結果が、アンテナ切り替え動作を行う前の受信回線品質判定部５１ａの判定結果より向上した（回線品質が向上した）場合、アンテナパス判定部５４ａは、現在受信の携帯電話ＣＨと、テレビチューナ部１２がチューニングしているチャンネル（ＴＶＣＨ）と、現在アンテナパス切替部４１が選択しているアンテナを示すアンテナ情報とを関連づけて、アンテナパスメモリ部１６に格納する。
【０１７１】
本実施例では、回線品質が「悪」で、受信レベルＡｄＢμ以上であると確認された場合、妨害波（テレビチューナ部１２からの干渉波）が存在する可能性があるので、現在のアンテナパス、具体的には、アンテナパス切替部４１が携帯電話信号用として選択しているアンテナを別のアンテナに切り替え、このアンテナの切り替えにより回線品質が「悪」でなくなれば、現在受信の携帯電話ＣＨと、テレビチューナ部１２がチューニングしているチャンネルと、現在アンテナパス切替部４１が選択しているアンテナを示すアンテナ情報とを関連づけて、アンテナパスメモリ部１６に格納する。
【０１７２】
アンテナ切り替え部５４は、携帯電話ＣＨとＴＶＣＨとアンテナ情報とが関連づけられてアンテナパスメモリ部１６に格納されている場合において、携帯電話信号を受信すると、テレビチューナ部１２がチューニングしているチャンネル（ＴＶＣＨ）と、受信した携帯電話信号に応じたチャンネル（携帯電話ＣＨ）とに関連づけられているアンテナ情報が、アンテナパスメモリ部１６に格納されているか否か判断する。
【０１７３】
アンテナ切り替え部５４、具体的にはアンテナパス判定部５４ａは、テレビチューナ部１２がチューニングしているチャンネルと受信した携帯電話信号に応じたチャンネルとに関連づけられているアンテナ情報がアンテナパスメモリ部１６に格納されている場合には、アンテナパス切替制御部５４ｂを制御して、アンテナパス切替部４１が選択しているアンテナを、テレビチューナ部１２がチューニングしているチャンネルと受信した携帯電話信号に応じたチャンネルとに関連づけられてアンテナパスメモリ部１６に格納されているアンテナ情報が示すアンテナに変更する。
【０１７４】
次に、動作を説明する。
【０１７５】
図７は、図６に示したテレビ信号受信機能付き携帯電話機の動作を説明するためのフローチャートである。なお、図７において、図４に示した処理動作と同一の処理動作には、同一符号を附してある。
【０１７６】
以下、図７を参照して、図６に示したテレビ信号受信機能付き携帯電話機の動作、具体的には、図４に示した処理動作と異なる動作を中心について説明する。
【０１７７】
ステップ４０４およびステップ４０５で、アンテナパス判定部５４ａが、携帯電話信号における回線品質が「悪」で、受信レベルがＡｄＢμ以上であると確認した場合、携帯電話信号の受信レベルは携帯電話信号を所定の回線品質以上で受信可能なレベルであるのに回線品質が悪いため、携帯電話信号の妨害波、具体的には、テレビチューナ部１２から発生される、受信した携帯電話信号への干渉波が存在し、受信した携帯電話信号がテレビチューナ部１２から所定レベル以上の干渉を受けていると判断する。
【０１７８】
ステップ４０５で、携帯電話信号における回線品質が「悪」で、受信レベルがＡｄＢμ以上であると確認した場合、アンテナパス判定部５４ａは、現在アンテナパス切替部４１が携帯電話信号用として選択しているアンテナを別のアンテナに変更させる（ステップ７０１）。
【０１７９】
具体的には、アンテナパス判定部５４ａは、携帯電話信号における回線品質が「悪」で、受信レベルがＡｄＢμ以上であると確認した場合、アンテナパス切替制御部５４ｂに対してアンテナの切り替えを指示するアンテナ切り替え信号を出力する。
【０１８０】
アンテナパス切替制御部５４ｂは、アンテナパス判定部５４ａから出力されたアンテナ切り替え信号に応じてアンテナパス切替部４１を制御して、現在アンテナパス切替部４１が携帯電話信号用として選択しているアンテナを別のアンテナに変更する。
【０１８１】
アンテナパス切替部４１のアンテナ切り替え動作後の受信回線品質判定部５１ａの判定結果が、アンテナ切り替え動作を行う前の受信回線品質判定部５１ａの判定結果より向上した（回線品質が向上した）場合（ステップ４０８）、アンテナパス判定部５４ａは、現在受信の携帯電話ＣＨと、テレビチューナ部１２がチューニングしているチャンネルと、現在アンテナパス切替部４１が選択しているアンテナとを関連づけて、アンテナパスメモリ部１６に格納する（ステップ７０２）。
【０１８２】
なお、ステップ４０８で、アンテナを変更しても、受信回線品質が「悪」と判断された場合は、ステップ４１０に移る。
【０１８３】
本実施例では、携帯電話信号が所定レベル以上の干渉をテレビチューナ部１２から受けていると判断した場合、自動的に携帯電話信号を受信するアンテナを変更するので、テレビチューニング部１２に基づいて発生する信号が、携帯電話信号に悪影響を与えることを防止可能となり、テレビ信号に基づく映像および音声を視聴しているときの、通話特性の劣化を防止することが可能となる。
【０１８４】
図８は、アンテナパスメモリ部１６に格納された情報を利用して、携帯電話信号を受信するアンテナを変更する動作を説明するためのフローチャートである。なお、図８において、図５に示した処理動作と同一の処理動作には、同一符号を附してある。
【０１８５】
以下、図８を参照して、アンテナパスメモリ部１６に格納された情報を利用して、携帯電話信号を受信するアンテナを変更する動作を説明する。
【０１８６】
通常状態、具体的には携帯電話信号を受信していない状態（ステップ５０１）において、携帯電話信号送受信ブロック４にて携帯電話信号を受信すると（ステップ５０２）、携帯電話信号送受信ブロック４は、携帯電話信号を受信したことをアンテナ切り替え部５４に通知する。
【０１８７】
アンテナ切り替え部５４が携帯電話信号を受信したことの通知を受けると、アンテナ切り替え部５４内のアンテナパス判定部５４ａは、テレビチューナ電源オン／オフ判定部５２の判定結果に基づき、テレビチューナ部１２の電源がオン状態であるかの確認を行う（ステップ５０３）。
【０１８８】
ステップ５０３で、テレビチューナ部１２の電源がオン状態であれば、アンテナパス判定部５４ａは、アンテナパスメモリ部１６に格納されている携帯電話ＣＨとテレビＣＨとを確認する（ステップ８０１）。
【０１８９】
アンテナパスメモリ部１６に格納されている情報の中で、現在受信している携帯電話信号のＣＨと現在チューニングしているテレビＣＨとが関連づけて記憶されている組合せがあれば（ステップ８０２）、アンテナパス判定部５４ａは、該組合せと関連づけて格納されているアンテナを、アンテナパスメモリ部１６からアンテナパス切替制御部５４ｂへ出力させる。
【０１９０】
アンテナパス切替制御部５４ｂは、アンテナパス切替部４１に対して、アンテナパスメモリ部１６から供給されたアンテナを選択するための信号を供給し、アンテナパス切替部４１に、アンテナパスメモリ部１６から供給されたアンテナを選択させる（ステップ８０３）。
【０１９１】
ステップ８０３が終了すると、動作は、携帯電話信号の受信動作に移る（ステップ５０７）。
【０１９２】
ステップ５０２で、携帯電話信号の受信がない場合は、ステップ５０１に戻る。
【０１９３】
ステップ５０３で、テレビチューナ部１２の電源がオン状態でないと、ステップ５０７に移る。
【０１９４】
また、ステップ８０２で、現在受信している携帯電話信号のＣＨと現在チューニングしているテレビＣＨとが関連づけて記憶されている組合せが、アンテナパスメモリ部１６に格納されていない場合、アンテナパス切替部４１が選択するアンテナを変更する（ステップ８０４）。
【０１９５】
なお、ステップ８０４の具体的な処理内容は、図７に示すステップ４０４以降の動作と同様である。
【０１９６】
本実施例では、アンテナパスメモリ部１６に格納されている情報に基づき、携帯電話信号を受信するアンテナを、携帯電話信号に悪影響を与えないアンテナに変更できるので、簡単に、テレビ信号に基づく映像および音声を視聴しているときの、通話特性の劣化を防止することが可能となる。
【０１９７】
以上説明した各実施例において、図示した構成は単なる一例であって、本発明はその構成に限定されるものではない。
【図面の簡単な説明】
【０１９８】
【図１】本発明の一実施例のテレビ信号受信機能付き携帯電話機を示したブロック図である。
【図２】図１に示した受信無線部１２ａの一例を示したブロック図である。
【図３】図１に示したテレビチューナ周波数設定用メモリ部１４に格納される情報の一例を示した説明図である。
【図４】図１に示した本発明の一実施例のテレビ信号受信機能付き携帯電話機の動作を説明するためのフローチャートである。
【図５】図１に示した本発明の一実施例のテレビ信号受信機能付き携帯電話機の動作を説明するためのフローチャートである。
【図６】本発明の他の実施例のテレビ信号受信機能付き携帯電話機を示したブロック図である。
【図７】図６に示した本発明の一実施例のテレビ信号受信機能付き携帯電話機の動作を説明するためのフローチャートである。
【図８】図６に示した本発明の一実施例のテレビ信号受信機能付き携帯電話機の動作を説明するためのフローチャートである。
【符号の説明】
【０１９９】
１      アンテナ
２      アンテナ
３      信号分配器
４      携帯電話信号送受信ブロック
４１    アンテナパス切替部
４２    受信無線部
４３    携帯電話シンセサイザ部
４４    送信無線部
４５    ベースバンド部
５      ＭＣＰＵ
５１    周波数変更部
５１ａ  受信回線品質判定部
５１ｂ  受信レベル判定部
５１ｃ  テレビチューナシンセサイザ周波数設定変更判定部
５１ｄ  テレビチューナシンセサイザ周波数計算部
５１ｅ  テレビチューナシンセサイザ周波数設定部
５２    テレビチューナ電源オン／オフ判定部
５３    携帯電話シンセサイザ周波数設定部
５４    アンテナ切り替え部
５４ａ  アンテナパス判定部
５４ｂ  アンテナパス切替制御部
６      ドライバ部
７      スピーカ
８      表示部
９      電源
１０      ユーザーＩＦ部
１１      キー
１２      テレビチューナ部
１２ａ    受信無線部
１２ｂ    テレビチューナシンセサイザ部
１２ｃ    テレビチューナシンセサイザ部
１２ｄ    ビデオＩＦ部サウンドＩＦ部
１３      デコーダ部
１４      テレビチューナ周波数設定メモリ部
１５      テレビチューナ電源オン／オフ部
１６      アンテナパスメモリ部
【図１】
2005045537.tif 000003
【図２】
2005045537.tif 000004
【図３】
2005045537.tif 000005
【図４】
2005045537.tif 000006
【図５】
2005045537.tif 000007
【図６】
2005045537.tif 000008
【図７】
2005045537.tif 000009
【図８】
2005045537.tif 000010